(57)【要約】  供給源（１０）は、暗号化制御メッセージ中の暗号化された連続的な鍵と、前記連続的な鍵で連続的に解読可能である暗号化された形態の情報とを送信する。復号器（１２２）は、前記情報を解読する。セキュアデバイス（１４）は、前記暗号化制御メッセージを受信し、前記メッセージから前記鍵を解読し、前記復号器（１２２）に前記鍵を供給する。前記セキュアデバイス（１４）は時間値を維持する。前記セキュアデバイス（１４）は、前記時間値に依存して前記鍵の供給を制御し、前記暗号化制御メッセージの１つ１つの受信に応じて前記時間値をインクリメントする。
2005514874.tif 000002
【特許請求の範囲】
【請求項１】
情報に対する時間依存条件付きアクセスを供給するシステムであり、
−暗号化制御メッセージ中の暗号化された連続的な鍵、及び前記連続的な鍵で連続的に解読可能である暗号化された形態の前記情報を供給するよう構成される供給源サブシステムと、
−前記鍵を受信する入力部を備える前記情報を復号する復号器と、
−前記暗号化制御メッセージを受信し、前記メッセージから前記鍵を解読し、前記復号器に前記鍵を供給するよう構成されるセキュアデバイスとを有し、前記セキュアデバイスが時間値を維持し、前記セキュアデバイスが前記時間値に依存して前記鍵の供給を制御するよう構成されるシステムであって、前記セキュアデバイスが、前記暗号化制御メッセージの１つ１つの受信に応じて前記時間値をインクリメントするよう構成されるシステム。
【請求項２】
前記供給源サブシステムが、前記暗号化制御メッセージ中にタイムスタンプを組み込むよう構成され、前記セキュアデバイスが、前記タイムスタンプと前記時間値との比較に依存して前記鍵を供給すべきか否かを決定するよう構成され、前記セキュアデバイスが、前記時間値において増大への制約を伴って前記タイムスタンプに基づいて更新の大きさを制御するよう構成されることを特徴とする請求項１に記載のシステム。
【請求項３】
前記セキュアデバイスが、現在の暗号化制御メッセージのタイムスタンプと、前の暗号化制御メッセージの他のタイムスタンプとの間の差を決定し、前記差を用いて前記時間値を増大させるよう構成されることを特徴とする請求項２に記載のシステム。
【請求項４】
前記供給源サブシステムが、前記暗号化制御メッセージより少ない頻度で暗号化管理メッセージを送信するよう構成され、前記暗号化管理メッセージがタイムスタンプを有し、前記セキュアデバイスが、増大タイムスタンプを受信することを条件として、前記暗号化管理メッセージの受信に応じて前記タイムスタンプに基づいて前記時間値を設定するよう構成されることを特徴とする請求項２に記載のシステム。
【請求項５】
タイムシフトメモリからのコンテンツ及び暗号化制御メッセージを処理し、前記タイムシフトメモリからの暗号化管理メッセージの代わりにライブ・ストリームからの暗号化管理メッセージを用いるよう構成されることを特徴とする請求項４に記載のシステム。
【請求項６】
前記供給源サブシステムが、前記暗号化制御メッセージより少ない頻度で暗号化管理メッセージを送信するよう構成され、前記暗号化管理メッセージがタイムスタンプを有し、前記セキュアデバイスが、増大タイムスタンプを受信することを条件として、前記暗号化管理メッセージの受信に応じて前記タイムスタンプに基づいて前記時間値を設定するよう構成されることを特徴とする請求項１に記載のシステム。
【請求項７】
タイムシフトメモリからのコンテンツ及び暗号化制御メッセージを処理し、前記タイムシフトメモリからの暗号化管理メッセージの代わりにライブ・ストリームからの暗号化管理メッセージを用いるよう構成されることを特徴とする請求項６に記載のシステム。
【請求項８】
前記セキュアデバイスが、第１タイムスタンプを備える第１暗号化管理メッセージの受信後に、前記第１タイムスタンプの時間の後に続くしばらくの間如何なる後続の第２タイプスタンプを備える第２暗号化管理メッセージも受信せずに所定数の前記暗号化制御メッセージが受信されている場合に、前記時間値に依存する前記連続的な鍵の供給を禁止するよう構成されることを特徴とする請求項６に記載のシステム。
【請求項９】
情報に対する時間依存条件付きアクセスを供給する方法であって、
−暗号化制御メッセージ中の暗号化された連続的な鍵、及び前記連続的な鍵で連続的に解読可能である暗号化された形態の前記情報を送信するステップと、
−前記暗号化制御メッセージを受信するステップと、
−時間値を維持し、前記暗号化制御メッセージの１つ１つの受信に応じて前記時間値をインクリメントするステップと、
−前記メッセージから前記鍵を解読するステップと、
−前記時間値に依存して復号器への前記鍵の供給を制御するステップとを有する方法。
【請求項１０】
情報に対する時間依存条件付きアクセスを供給するセキュアデバイスであり、
−暗号化制御メッセージ中の暗号化された連続的な鍵を受信する入力部と、
−前記メッセージから前記鍵を解読する解読ユニットと、
−復号器に前記鍵を供給する出力部と、時間値を記憶するメモリとを持ち、前記時間値に依存して前記鍵の供給を制御するよう構成されるセキュアデバイスであって、前記暗号化制御メッセージの１つ１つの受信に応じて前記時間値をインクリメントするよう構成されるセキュアデバイス。
【請求項１１】
暗号化制御メッセージを受信する入力部を備えるセキュアデバイスに、
−時間値を維持させ、前記暗号化制御メッセージの１つ１つの受信に応じて前記時間値をインクリメントさせる計算機命令、
−前記メッセージから鍵を解読させる計算機命令、及び
−前記時間値に依存して復号器への前記鍵の供給を制御させる計算機命令を有するコンピュータプログラム。
【発明の詳細な説明】
【技術分野】
【０００１】
本発明は、メディア情報のストリームに対する条件付きアクセスを供給するシステム及び方法に関し、このようなシステム用のセキュアデバイス(secure device)に関する。
【背景技術】
【０００２】
ビデオ信号及びオーディオ信号などのメディア情報に対する条件付きアクセスを容易にするために暗号化を使用することは良く知られている。受信局には、情報を解読するための解読鍵を供給することによって情報に対するアクセス権が与えられる。権利がある受信契約者(entitled subscriber)にしか鍵は供給されない。従来、鍵は、スマートカード（又は、より広くは、許可を受けていない者による不正変更から保護されるセキュアデバイス）を用いて配布される。
【０００３】
一般に利用されている鍵配布方式は、３つのタイプの情報、即ち、暗号化されたコンテンツと、暗号化制御メッセージ（Encryption Control Message）(ECM)と、暗号化管理メッセージ(Encryption Management Message)(EMM)とを送信する。コンテンツは、該コンテンツを解読するのに連続的な時間間隔において異なる鍵が必要とされるように暗号化される。セキュアデバイスは、ECM及びEMMの制御のもとでこれらの鍵を供給する。ECMは、コンテンツを解読する鍵が変更されなければならなくなるたびに送信される。ECMは、セキュアデバイスがECMから鍵を解読することが出来るように暗号化された形態の鍵を含む。
【０００４】
しかしながら、セキュアデバイスは、該セキュアデバイスにそうする権利が付与される場合にしか解読された鍵を供給しないであろう。権利付与(entitlement)は、セキュアデバイス中の権利付与情報から決定され、例えば、セキュアデバイスを保有する受信契約者がそもそも情報を解読してもよいのか否か、又は解読してもよい場合には、どのタイプのコンテンツが解読されてもよいのかを示す。セキュアデバイスは、これらのタイプの情報に対してしか鍵を供給しない。権利付与情報は、通常はECMより少ない頻度で送信されるEMMの制御のもとで更新される。
【０００５】
欧州特許出願公開番号第635790号から、時間依存条件付きアクセスを供給することは既知である。この刊行物のセキュアデバイスは、絶対時間を表す時間値をカウントする時刻クロックを含む。セキュアデバイスは、時間値と受信契約者に情報へのアクセス権が与えられている時間間隔を比較する。時間値が時間間隔内である場合にしかアクセスは許可されない。このようにして、試用期間中しかアクセスが許可されない場合に、試用期間外に受信契約者がアクセス権を得ることは防止され得る。
【０００６】
時間依存条件付きアクセスの実施のためには、時刻クロックの時間値が不正変更され得ないことが重要である。欧州特許出願公開番号第635790号によれば、これは、セキュアデバイスに認証タイムスタンプを周期的に送信することによって実現される。セキュアデバイスは、タイムスタンプの認可をチェックし、認証タイムスタンプに基づいて時刻クロックの時間値の更新をチェックする。連続的な更新の合間では、クロックが、時間の局所的なカウントに基づいて時間値を変更する。しかしながら、前記装置は、クロック・ドリフトがクロックの信頼性を損なうことを防止するために、前記時間値が所定の時間間隔の間タイムスタンプで更新されていない場合に、アクセス権を与えるための前記時間値の使用を防止する。
【０００７】
この装置は時間依存条件付きアクセスを供給するが、幾つかの不利な点を持つ。先ず、クロックは絶え間なく動作する必要があり、これは、スマートカードなどのセキュアデバイスにおいては非現実的であり得る。更に、クロックは、クロック速度を変更しようとする不正変更の試みに対して弱い。第２に、この方式は、タイムスタンプがインターセプトされ、記憶され、遅延を伴ってセキュアデバイスに供給される不正変更の試みに対して耐性がない。
【発明の開示】
【発明が解決しようとする課題】
【０００８】
とりわけ、本発明の目的は、条件付きアクセスのシステム及び方法であって、時間依存条件付きアクセスの不正変更に対して他の保護がなされるシステム及び方法を提供することにある。
【０００９】
より詳細には、本発明の目的は、暗号化制御メッセージ及び暗号化されたコンテンツの連続的なストリームを受信するこのようなシステム及び方法を提供することにある。
【００１０】
別の目的は、絶え間なく動作するクロックが必要とされないこのようなシステム及び方法を提供することにある。
【課題を解決するための手段】
【００１１】
本発明は、請求項１に記載のシステムを提供する。本発明によれば、時間値は暗号化制御メッセージの受信に応じて更新される。受信契約者は、該受信契約者が暗号化されたコンテンツにアクセスしたい場合にはこれらの更新を受け入れざるを得ず、通常のクロックの更新をなすのに特別な情報は必要とされない。原則的に、更により信頼性の高いクロックを実現するために暗号化制御メッセージの合間に独立して前記クロックを進めるためにセキュアデバイスにおいて内部クロック発振器が用いられ得る。しかし、これらの更新又は前記発振器が省かれる場合にも前記信頼性はわずかにしか低下されない。なぜなら、連続的なメディアストリームからの暗号化制御メッセージの使用は定期的な更新を保証するからである。これは、（好ましくは、それ自体の電源を持たないスマートカードである）前記セキュアデバイスのより複雑でない（より低コストな）構成をもたらす。
【００１２】
暗号化制御メッセージは平均して予測可能な頻度でメディアストリーム中に組み込まれるということを当てにすることが出来る場合には、時間値は、単純に、前記暗号化制御メッセージが受信されるたびに一定量だけインクリメントされ得る。本発明によるシステムの実施例においては、当該メッセージ中の鍵を用いるために権利付与をチェックする役割を果たす前記暗号化制御メッセージからのタイムスタンプが、セキュアデバイスにおいて前記時間値を更新するのにも用いられる。実施例においては、前記時間値は、新しい値が古い時間値より後であるならば、前記タイムスタンプの値又はそれに対応する値に設定される。
【００１３】
他の実施例においては、連続的な暗号化制御メッセージのタイムスタンプの間の差が決定され、セキュアデバイスにおける時間値は、この差に基づいてインクリメントされる。これは、前記システムがタイムシフトを伴ってコンテンツを見ること（即ち、しばらくの間、例えば午後から夕方まで該システムに記憶されている古いコンテンツを見ること）を可能にする場合にとりわけ有用である。差を用いることによって、コンテンツがタイムシフトを伴って解読される場合に、前記暗号化制御メッセージが到来するのと同じ頻度でタイムスタンプの「ライブ(live)」のストリームにアクセスする必要なしに、信頼性の高い時間値を確保することが依然として可能である。
【００１４】
別の実施例においては、ライブ・ストリームからのより頻度の少ない暗号化管理メッセージからのタイムスタンプが、セキュアデバイスにおいて時間値の絶対値を（即ち差動的にではなく）設定するのに用いられる。この目的のために、前記セキュアデバイスは、タイムシフトされたストリームを解読するためにライブ・メディアストリームと該タイムシフトされたストリームとの両方を監視する必要があり得るが、前記ライブ・ストリームからは暗号化管理メッセージしか解釈される必要がないことから、これは、ほとんどオーバーヘッドを伴わない。斯くして、暗号化制御メッセージのタイムスタンプにおける誤りが訂正され得る（前記セキュアデバイスは、前記時間値が誤りのために進めて設定されている場合でも、前記時間値が暗号化制御メッセージによって設定し戻され得ることを防止することから、これらの誤りは訂正不能であり得る）。前記暗号化制御メッセージからの前記タイムスタンプが用いられない場合でも、暗号化制御メッセージからのタイムスタンプのこのような使用は、不正変更が連携して働く多数のストリームを伴わなければならなくなるであろうことから、前記時間値の不正変更からの保護を増大させるのに役立つ。
【００１５】
他の実施例においては、セキュアデバイスが、より後のタイムスタンプを備える新しい暗号化管理メッセージが受信されない場合には、暗号化管理メッセージの受信後所定の回数の間しか暗号化制御メッセージによる更新を許可しないように構成されることから、ユーザは、前記セキュアデバイスが前記暗号化管理メッセージからタイムスタンプをコピーすることを許可することを余儀なくされる。これは、広くは、暗号化制御メッセージが時間値を更新するに用いられる場合に、詳細には、タイムシフトされたストリームの復号が可能にされる場合に前記時間値のセキュリティを増大させるであろう。なぜなら、それは、前記タイムシフトされたストリームの解読中に同様にライブ・ストリームを供給することを前記ユーザに強要するからである。このようにして、タイムシフトされたストリームが復号される場合でも前記セキュアデバイスによって前記ライブ・ストリームからの管理情報が処理され、権利付与に対する更新を可能にする。これとは別に、前記ライブ・ストリームからの暗号化管理メッセージの義務的使用は、暗号化制御メッセージからのタイムスタンプが誤った時間値をもたらした場合の該時間値の訂正を可能にする。
【００１６】
本発明によるシステム及び方法のこれら及び他の目的及び有利な面を以下の図を用いてより詳細に記載する。
【発明を実施するための最良の形態】
【００１７】
図１は、条件付きアクセスを供給するシステムを示している。このシステムは、暗号化されたメディアストリームの供給源１０と、条件付きアクセス装置１２と、記憶装置１６（例えば、磁気若しくは光ディスク又はテープのレコーダ）とを含む。供給源１０は、条件付きアクセス装置１２と記憶装置１６とに結合される出力部を持つ。記憶装置１６は、条件付きアクセス装置１２に結合される出力部を持つ。
【００１８】
条件付きアクセス装置１２は、受信部１２０と、コンテンツ復号器１２２と、レンダリング装置１８と、セキュアデバイス１４（例えばスマートカード）とを含む。受信部１２０は、供給源１０及び記憶装置１６からの入力を受信し、コンテンツ復号器１２２に結合される暗号化されたコンテンツのための出力部と、セキュアデバイス１４に結合される暗号化制御メッセージ(ECM)及び暗号化管理メッセージ(EMM)のための出力部とを持つ（別々に示されているが、後者の出力部は実際には組み合わされて単一の出力部にされ得る）。セキュアデバイス１４は、復号器１２２の鍵入力部に結合される出力部を持つ。復号器１２２は、レンダリング装置１８に結合される解読されたコンテンツのための出力部を持つ。
【００１９】
セキュアデバイス１４は、解読ユニット１４０と、管理ユニット１４２と、時間値記憶装置１４４とを含む。解読ユニット１４０は、受信部のECMのための出力部に結合される入力部と、復号器１２２の鍵入力部に結合される出力部とを持つ。解読ユニット１４０はまた、管理ユニット１４２に結合されるタイムスタンプのための出力部も持つ。管理ユニット１４２は、受信部１２０のEMMのための出力部に結合される入力部を持つ。更に、管理ユニット１４２は、時間値記憶装置１４４に結合される入力部及び出力部を持つ。EMM及びECMのための別々の入力部が示されているが、当然、これらは、単一の入力部を介して供給され、セキュアデバイス１４において別々に処理されてもよい。
【００２０】
動作中、供給源１０は、暗号化されたメディア情報（例えば、ビデオ情報及び／又はオーディオ情報）の１つ以上のストリームを送信する。各ストリームは、暗号化されたコンテンツと、暗号化制御メッセージ(ECM)と、暗号化管理メッセージ(EMM)とを含む。これらの要素に対する帯域幅の必要量は大幅に異なる。即ち、コンテンツは、毎秒数メガビットの固定帯域幅を必要とし得るのに対して、ECMは、１キロビット未満しか必要としないかもしれず、例えば、毎分１回しか送信されない。EMMは、更に少ない頻度で、例えば毎時間１回送信される。暗号化制御メッセージは暗号化されたコンテンツを解読するための鍵を含む。これらの鍵自体もまた暗号化される。暗号化制御メッセージは、好ましくは、タイムスタンプも含む。これらのタイムスタンプは暗号化され得るが、これは必要ではない。これらのタイムスタンプは、正当と認められれば十分である、即ち、当然ながら、供給源のみがタイムスタンプを供給することができ、ECMが特定のタイムスタンプと関連付けられていることが確認され得るように符号化されれば十分である。 
【００２１】
条件付きアクセス装置１２は、前記ストリームの少なくとも１つを受信する。受信部１２０は、このストリームからの暗号化されたコンテンツを復号器１２２に渡す。受信部１２０は、このストリームからのECM及びEMMをセキュアデバイス１４に渡す。セキュアデバイス１４は、ECMから鍵を解読し、条件付きで該鍵を復号器１２２に供給する。復号器１２２は、鍵を用いてコンテンツを解読し、解読されたコンテンツをレンダリング装置１８に供給する。レンダリング装置１８は、例えば、表示画面及び／又はスピーカを含み、コンテンツがシステムのユーザによって知覚され得るようにコンテンツをレンダリングする。
【００２２】
セキュアデバイス１４は、該セキュアデバイス１４が復号器１２２に鍵を供給する権利を有するか否かをチェックする。鍵の少なくとも幾つかに対する権利付与は時間に依存する。管理ユニット１４２は、時間値記憶装置１４４からの時間値を用い、且つ随意に受信ECMからのタイムスタンプを用いて時間依存性権利付与を実施する。その最も単純な形態では、管理ユニット１４２は、セキュアデバイス１４がイネーブルにされる時間範囲と時間値を比較する。このようにして、鍵は、例えば、ユーザが当該期間に対して代金を支払っている期間中にのみ供給され得る。より複雑な形態では、権利付与はECMのタイムスタンプと関連付けられてもよく、例えば、時間値とタイムスタンプとの間の差が或る範囲内である場合にのみ鍵を供給することを可能にする。このようにして、例えば、ユーザに、ライブ・コンテンツしか見ることが出来ず、タイムシフトされた（記録された）コンテンツは見ることが出来ないように権利を付与することができ、又はこれと反対に、或る期間遅延されたコンテンツしか見ることが出来ないように権利を付与することが出来る。これは、サービスレベルに依存する差別的な受信料を可能にする。
【００２３】
このようにして、権利付与制御メッセージ中のタイムスタンプ及び時間値によって、システムは、供給源１０から受信されるライブ情報と、記憶装置１６から受信されるタイムシフトされた情報とを区別することが出来る。
【００２４】
時間値記憶装置１４４における時間値は管理ユニット１４２によって定期的に更新される。本発明によれば、これは、好ましくは、ECMが受信されるたびに（又は所定の数のECMが受信されるたびに）行なわれる。単純な実施例においては、管理ユニット１４２は、それに対して時間値が変更される各受信ECMに対して一定量だけ時間値を増大させる。
【００２５】
より高度な実施例においては、管理ユニット１４２は、ECMのタイムスタンプと時間値を比較し、新しい時間値が時間値記憶装置１４４中の記憶されている時間値より後の時間を符号化するならば、そのタイムスタンプに対応する時間に時間値を設定する。
【００２６】
更に別の実施例においては、管理ユニット１４２は、時間値記憶装置１４４からの古い時間値にインクリメントを付加することによって、それが時間値記憶装置１４４に記憶する新しい時間値を計算する。管理ユニット１４２は、それに対して時間値がインクリメントされる前のECMのタイムスタンプからの情報を更に記憶し、現在のECMのタイムスタンプによって表される時間と、この前のECMのタイムスタンプによって表される時間との間の差を決定することによってインクリメントを計算する。管理ユニット１４２は、この差からインクリメントの大きさを決定し、このインクリメントが正であるならば、古い時間値にこのインクリメントを付加して新しい時間値を決定する。インクリメントされた時間値は時間値記憶装置１４４に記憶される。更に、今後のECMに対する差の計算を可能にするために現在のECMのタイムスタンプが記憶される。このようにして、タイムシフトされたストリームを用いてインクリメントを決定することも可能である。
【００２７】
好ましくは、管理ユニットは、時間値記憶装置１４４中の時間値を更新するのにEMMからのタイムスタンプも使用する。（EMMは暗号化されたコンテンツのために鍵を供給する必要がないことから）EMMはより少ない頻度で送信される点、及びEMMは、例えばセキュアデバイス１４が鍵を供給する権利を有するタイプ及び時間のコンテンツを設定するための管理情報を含む点でEMMはECMと区別される。このようにして、EMMは、アクセスの条件を制御するのには必要であるが、アクセスを供給するのには直接的には必要ない。好ましくは、セキュアデバイス１４は、鍵の供給が時間値次第である場合には、同じ時間間隔中に新しいEMMを受信することなしに多数のECMが受信されている場合に、解読された鍵の発行の認可のために時間値記憶装置１４４中の時間値を使用することを禁止することによって、即ち、復号器１２２へのあらゆる鍵の供給を禁止することによって、EMMを供給することをユーザに強要する。例えば、EMMが毎時間送信され、ECMが毎分送信される場合には、EMMを全く受信せずに６０個より多くのECMが受信されている場合に時間値は使用不可にされ得る。
【００２８】
他の実施例においては、管理ユニット１４２は、時間値記憶装置１４４中の時間値を設定するのにEMMからのタイムスタンプを用いる。この設定は、時間値が前のEMMによって設定された最新の時間値と比較して増大しかし得ないように保護され得る。この目的のために、管理ユニット１４２は、前のEMMのタイムスタンプ（又は該タイムスタンプを表す情報）を記憶し、時間値を設定する前に新しいEMMのタイムスタンプとこの記憶されたタイムスタンプを比較する。このようにして、（例えば誤ったECMに起因する）時間値における誤りは訂正され得る。
【００２９】
他の実施例においては、条件付きアクセス装置１２が、記憶装置１６からの記憶されたストリームを用いることを可能にする。当然、このストリームのECMは、時間値記憶装置中の時間値より古いタイムスタンプを含むであろうが、管理ユニット１４２中の権利付与情報は、このような「古い」ストリームに対する鍵の供給に備え得る。この結果、古いストリームのECM及びEMMが記憶装置１６から受信部１２０に供給されることとなる。本発明によれば、受信部は、古いストリームと一緒にライブ・ストリームを受信し、ライブ・ストリームからEMMを抽出し、これらのEMMをセキュアデバイス１４に供給するよう構成される。管理ユニット１４２は、これらのEMMを受信し、時間値記憶装置１４４中の時間値及び権利付与を更新するためにこれらのEMMからのタイムスタンプ及び管理情報を用いる。このようにして、時間値がEMMからの「ライブ」のタイムスタンプによって制御されることが確実にされる一方で、同時に、記録された（タイムシフトされた）コンテンツが処理される。時間値のインクリメントは、記録されたストリームのECMによって制御され得る。従って、この目的のためにライブ・ストリームからのECMが処理される必要はない。
【００３０】
解読ユニット１４０と、管理ユニット１４２と、時間値記憶装置１４４とが別々に示されているが、これらの機能は、実際には、例えば時間値がレジスタに記憶されるマイクロプロセッサにおいて大幅に組み合され得ることは分かるであろう。レジスタの代わりにあらゆる他の種類の記憶装置、例えばクロックからのパルスによって時間値を更新するカウンタ又はメモリ中のロケーションが用いられ得る。時間値及び権利付与の管理はこのマイクロプロセッサによって実行されるコンピュータプログラムを用いて制御され得るが、当然、専用のハードウェアも関連機能を実行するために用いられ得る。
【図面の簡単な説明】
【００３１】
【図１】条件付きアクセスを供給するシステムを示す。
【図１】
2005514874.tif 000003
【国際調査報告】
2005514874.tif 000004
2005514874.tif 000005
2005514874.tif 000006